【事件の表示】
　平成　８年特許願第１６６６１２号「抄紙機の多シリンダ乾燥機におけるウエブの乾燥ワイヤへの付着を調節する方法および装置」拒絶査定に対する審判事件［平成　８年１２月２４日出願公開、特開平　８−３３７９９２］について、次のとおり審決する。
【結　論】
　本件審判の請求は、成り立たない。
【理　由】
Ｉ．手続きの経緯及び本願発明
　本願は、平成８年６月７日の出願（優先権主張、１９９５年６月７日、米国）であって、その請求項１〜２８に係る発明は平成１２年１０月２日付手続き補正書で適法に補正された明細書の特許請求の範囲請求項１〜２８に記載された事項により特定される次のとおりのものと認める。
請求項１　抄紙機の多シリンダ乾燥機においてシングルワイヤドローを設けた乾燥機グループ内でウエブの乾燥ワイヤへの付着を調節する方法であって、該乾燥機グループは、加熱乾燥シリンダと、多孔マントルおよび真空に曝される内部空間を有するガイドシリンダと、前記ウエブを前記乾燥シリンダの外側シリンダ面に対して押しつけ、乾燥ワイヤが外側シリンダ面および前記ウエブの間に位置するように前記ガイドシリンダにわたって該ウエブを運ぶ乾燥ワイヤからなる抄紙機の多シリンダ乾燥機におけるウエブの乾燥ワイヤへの付着を調節する方法において、該方法は、
前記ガイドシリンダの内部空間に１つのサクション領域を設け、該サクション領域は、実質的に該ガイドシリンダの全幅にわたっている工程と、
前記乾燥機グループを前記ウエブが走行しているときに、前記ガイドシリンダの内部空間の前記サクション領域内の真空度を前記抄紙機の乾燥機の運転速度などの工程パラメータもしくは運転パラメータの関数として調節し、これによってウエブを様々な運転条件において前記乾燥ワイヤに確実に接触させる工程とを含むことを特徴とする抄紙機の多シリンダ乾燥機におけるウエブの乾燥ワイヤへの付着を調節する方法。
請求項２　請求項１に記載の方法において、該方法は、前記真空度を調節して、前記ガイドシリンダの少なくとも１つにおいて前記乾燥機のテール掛けの段階および該乾燥機の運転段階について異なる真空度を供給することを特徴とする乾燥ワイヤへの付着を調節する方法。
請求項３　請求項１に記載の方法において．前記真空度は、前記ウエブが前記乾燥機を通る速度の関数として調節することを特徴とする乾燥ワイヤへの付着を調節する方法。
請求項４　請求項１に記載の方法において、該方法はさらに、前記ガイドシリンダをシャフトに回転可能に取りつける工程と、前記ガイドシリンダの内部空間内に真空を前記シャフト内のダクトを通して発生させる工程と、前記シャフトを真空供給源に連結する工程とを含むことを特徴とする乾燥ワイヤへの付着を調節する方法。
請求項５　請求項１に記載の方法において、該方法はさらに、吹き出し−吸込み併用ボックスを前記乾燥シリンダの隣接するもの同士の間のギャップ内に配設して、前記乾燥ワイヤが走行しない前記ガイドシリンダの上部自由セクタを実質的に覆う工程と、
前記吹き出し−吸込み併用ボックスから空気を吹き出すことにより、前記ガイドシリンダ上を前記ウエブが走行する前と走行した後とにおいて、該ウエブを前記乾燥ワイヤに付着させる工程とを含むことを特徴とする乾燥ワイヤへの付着を調節する方法。
請求項６　請求項１に記載の方法において、該方法はさらに、前記乾燥機グループ内の前記ガイドシリンダの内部空間を主流路と連結する工程と、該主流路内の吸込みブロワを回転させることによって、該主流路を通して、したがって前記ガイドシリンダの内部空間を通して空気を引く工程と、前記吸込みブロワの回転速度を変えて前記ガイドシリンダ内の真空度を調節する工程とを含むことを特徴とする乾燥ワイヤへの付着を調節する方法。
請求項７　請求項１に記載の方法において、該方法はさらに、前記乾燥機グループ内の前記ガイドシリンダの内部空間を主流路と連結する工程と、該主流路を通して、したがって前記ガイドシリンダの内部空間を通して空気を引く工程と、前記主流路を通る全空気流を絞って前記ガイドシリンダ内の真空度を調節する工程とを含むことを特徴とする乾燥ワイヤへの付着を調節する方法。
請求項８　請求項４に記載の方法において、前記ガイドシリンダ内の真空度は、前記ガイドシリンダの内部空間から前記シャフト内に作られている前記ダクトを通して引き出される空気流を変えることによって調節されることを特徴とする乾燥ワイヤへの付着を調節する方法。
請求項９　請求項１に記載の方法において、該方法はさらに、前記乾燥機グル−プ内の前記ガイドシリンダの内部空間を主流路へ連結する工程と、前記主流路を通して、前記ガイドシリンダの内部空間から空気を引く工程と、
　前記主流路へ連結しているブロワを断続して前記ガイドシリンダ内の真空度を調節する工程とを含み、前記ガイドシリンダ内から引かれる空気の量を減らして、該ガイドシリンダ内の真空度を下げるために前記ブロワを切り、該ガイドシリンダ内から引かれる空気の量を増やして、該ガイドシリンダ内の真空度を上げるために前記ブロワを入れることを特徴とする乾燥ワイヤへの付着を調節する方法。
請求項１０　請求項１に記載の方法において、該方法はさらに、前記乾燥機グループ内の前記ガイドシリンダの内部空間を主流路へ連結する工程と、前記主流路内の吸込ブロワを回転させることによって、前記主流路を通して、したがって前記ガイドシリンダの内部空間を通して空気を引く工程と、前記ブロワのブレード翼を調節して前記ガイドシリンダ内の真空度を調節する工程とを含むことを特徴とする乾燥ワイヤへの付着を調節する方法。
請求項１１　請求項１に記載の方法において、該方法はさらに、前記ガイドシリンダの少なくとも１つに存在する真空度を測定する工程と、前記ガイドシリンダ内の真空度を前記測定真空度を基にして調節する工程とを含むことを特徴とする乾燥ワイヤへの付着を調節する方法。
請求項１２　請求項１に記載の方法において、該方法は、前記カイドシリンダ内の真空度を所定の値に従って調節することを特徴とする乾燥ワイヤへの付着を調節する方法。
請求項１３　請求項１に記載の方法において、該方法は、前記カイドシリンダ内の真空度を前記乾燥機内で乾燥中の紙の等級に従って調節することを特徴とする乾燥ワイヤへの付着を調節する方法。
請求項１４　請求項１に記載の方法において、該方法はさらに、前記乾燥機グループ内の前記ガイドシリンダのそれぞれの真空度を個別に調節する工程を含むことを特徴とする乾燥ワイヤへの付着を調節する方法。
請求項１５　請求項１に記載の方法において、該方法はさらに、前記ガイドシリンダ内の真空度を約６００Ｐａから約２０００Ｐａの範囲で前記抄紙機の運転操作時間中に制御する工程を含むことを特徴とする乾燥ワイヤへの付着を調節する方法。
請求項１６　請求項１に記載の方法において、前記乾燥機グループは抄紙機の多シリンダ乾燥機内に位置することを特徴とする乾燥ワイヤへの付着を調節する方法。
請求項１７　請求項１に記載の方法において、該方法を抄紙機の多シリンダ乾燥機において実質的に該乾燥機の全長にわたって適用することを特徴とする乾燥ワイヤへの付着を調節する方法。
請求項１８　請求項１に記載の方法において、前記ガイドシリンダ内の真空度は、前記紙ウエブの乾燥加熱残分が機械方向に増加する場合に、調節されることを特徴とする乾燥ワイヤへの付着を調節する方法。
請求項１９　請求項１に記載の方法において、前記ガイドシリンダのうちの第１および第２のもののそれぞれの内部空間内の真空度は、前記第１および第２のガイドシリンダのうちの他のものの真空度とは別個に調節されることを特徴とする乾燥ワイヤへの付着を調節する方法。
請求項２０　請求項１に記載の方法において、該方法はさらに、前記乾燥シリンダ内の乾燥部の開始端部で適用される真空度をウエブのその場所での乾燥加熱残分に従って調節する工程を含むことを特徴とする乾燥ワイヤへの付着を調節する方法。
請求項２１　抄紙機の多シリンダ乾燥機においてシングルワイヤドローを設けた乾燥機グループ内でウエブの乾燥ワイヤへの付着を調節する装置であって、前記乾燥機グループは、加熱乾燥シリンダと、多孔マントルおよび真空に曝される内部空間を有するガイドシリンダと、前記ウエブを前記乾燥シリンダの外側シリンダ面に対して押しつけ、前記乾燥ワイヤが外側シリンダ面および前記ウエブの間に位置するように前記ガイドシリンダにわたって該ウエブを運ぶ乾燥ワイヤとを含む抄紙機の多シリンダ乾燥機におけるウエブの乾燥ワイヤへの付着を調節する装置において、該装置は、主空気流路と、それぞれが前記主空気流路から前記ガイドシリンダのそれぞれの１つへ通っている分流空気流路と、該分流空気流路へ、および／または前記主空気流路へ連結される空気流調節手段とを含み、前記ガイドシリンダの各々の内部空間に、１つのサクション領域を設け、該サクション領域は、実質的に該ガイドシリンダの全幅にわたっており、前記空気流調節手段は、前記乾燥機グループを前記ウエブが走行しているときに、前記ガイドシリンダの内部空間の前記サクション領域内の真空度を前記抄紙機の乾燥機の工程パラメータもしくは運転パラメータの関数として調節することを特徴とする抄紙機の多シリンダ乾燥機におけるウエブの乾燥ワイヤへの付着を調節する装置。
請求項２２　請求項２１に記載の装置において、前記ガイドシリンダはそれぞれ、前記抄紙機のフレームに固定され前記ガイドシリンダを回転可能に取りつけるシャフトを含み、前記分流空気流路は、それぞれ前記シャフトの１つへ割り当てられていることを特徴とする乾燥ワイヤへの付着を調節する装置。
請求項２３　請求項２１に記載の装置において、前記調節手段は、前記乾燥シリンダの隣接するもの同士の間のギャップ内に配設されて前記乾燥ワイヤが走行しない前記ガイドシリンダの上部自由セクタを実質的に覆う吹き出し−吸込み併用ボックスを含み、該吹き出し−吸込みボックスは、空気を前記ガイドシリンダに対して吹きつける手段を含むことを特徴とする乾燥ワイヤへの付着を調節する装置。
請求項２４　請求項２１に記載の装置において、前記調節手段は、前記主流路内に位置する吸込みブロワを含み、該吸込みブロワの回転速度を変えて前記ガイドシリンダ内の真空度を調節することを特徴とする乾燥ワイヤへの付着を調節する装置。
請求項２５　請求項２１に記載の装置において、前記調節手段は、前記分流路のそれぞれに配設された調節ダンパを含むことを特徴とする乾燥ワイヤへの付着を調節する装置。
請求項２６　請求項２１に記載の装置において、前記調節手段は、前記ガイドシリンダのそれぞれの真空度を前記ガイドシリンダのうちの他のものに対して独立に調節するこどを特徴とする乾燥ワイヤへの付着を調節する装置。
請求項２７　請求項２１に記載の装置において、前記調節手段は、前記主流路内に位置する吸込みブロワを含み、該吸込みブロワは可調節ブレードを有していることを特徴とする乾燥ワイヤへの付着を調節する装置。
請求項２８　請求項２１に記載の装置において、前記調節手段は、前記主流路内に位置する吸込みブロワを含み、該吸込みブロワの回転速度、およひ該吸込みブロワにより引き出される空気量をインバータの操作によって変えて前記ガイドシリンダ内の真空度を調節することを特徴とする乾燥ワイヤへの付着を調節する装置。
　
　
ＩＩ．引用例の記載事項
　これに対して、原査定の拒絶の理由に引用された、本願の出願日前に頒布された特開平３−１３７２８８号公報（以下、刊行物１という。拒絶理由通知において引用した引用文献１に対応する。）、特開平３−８８７号公報（以下、刊行物２という。拒絶理由通知において引用した引用文献２に対応する。）、特開昭６４−８５３９０号公報（以下、刊行物３という。拒絶理由通知において引用した引用文献３に対応する。）には、次の事項が記載されている。
　
１．刊行物１
１−１「・・製紙機の乾燥部において、・・ウエブをドライヤに通過させる方法であって、乾燥シリンダが使用され、その外側マントルに対向して乾燥すべきウエブを押圧して直接、接触させ、ワイヤで支持しながらウエブを前記乾燥シリンダ相互の間の間隙内で案内シリンダの上方に送り、この案内シリンダ上でウエブが外側カーブの脇に位置する、・・製紙機の乾燥部における方法において、・・
　前記ウエブは、乾燥シリンダから離れる時、乾燥シリンダとワイヤとの間のポケットにかかる負圧により吸引され、ワイヤが乾燥シリンダから次の案内シリンダ上へ移行する際、ワイヤと接触し、
　前記案内シリンダとして、中空面マントルを具備する吸引シリンダを使用し、このマントルには複数の孔が設けられ、
　該方法において、シリンダマントルの内部に負圧をかけ、ワイヤが吸引シリンダの上方で湾曲する際、この負圧によりウエブをワイヤと接触した状態に保ち、その後でウエブを前記ポケット内にかかる負圧により吸引し続けてワイヤと接触させる・・」（特許請求の範囲、請求項１）
１−２「・・請求項１・・記載の方法を実施するための・・装置において、・・
　前記案内シリンダとして、吸引シリンダを用い、そのマントルには、複数の透孔が設けられ、
　少なくとも前記吸引シリンダ内の内部空間は負圧源と連通していることを特徴とする・・装置」（特許請求の範囲、請求項７）
１−３「請求項７・・の装置にいて、
　前記吸引シリンダの内部と前記ポケットとの両方は、別々の吸引ダクトおよび吸引管を介して空気ブロワに、最適には同一のブロワに連通し、
　前記吸引管には調整手段が設けられ、これにより前記空間内の負圧のレベル・・が調整できることを特徴とする装置」（特許請求の範囲、請求項１１）
１−４「また本発明は、・・この装置はマルチシリンダ乾燥機を備え」（第３頁右上欄９−１２行）
１−５「この問題に加えて遠心力および他の理由もあって、ウエブＷはとくに下側シリンダ１１でワイヤ１５から離れやすい。」（第５頁右上欄、３−６行）
１−６「第５図には同様の構造が示されているが、ここでは、シリンダ３０内に閉じた部屋４２が配置され」（第７頁左上欄５−６行）
１−７「・・負圧Ｐ０＝５００〜１０００パスカルがシリンダ３０の内部３２で内で保たれ」（第８頁右上欄８−９行）
１−８「−ウエブ速度Ｃ＝１５００ｍ／分＝２５ｍ／秒　
−乾燥物重量Ｍｋ・・　
−ウエブ湿度ｕ・・　
−湿気重量Ｍｗ・・　
−吸引シリンダ３０の直径Ｄ・・　
−吸引シリンダ３０のマントル３１内の孔の百分率ｆ・・　
−空気密度ｒ・・
　遠心力により生じ、ウエブＷを引っ張ってシリンダ３０から離す圧力（第１図）はＰ２＝９０／１０００×２５×２５／０．５５パスカル＝１０２パスカルである。吸引圧力は５００パスカルとするのが望ましく、これにより吸引シリンダ３０の周上で必要な負圧はＰ１＝５００＋１０２パスカル＝６０２パスカルとなる」（第８頁左下欄１１行−右下欄６行）
１−９　乾燥シリンダから吸引シリンダへ、さらに次の乾燥シリンダへとウエブが単一のワイヤで運ばれていく状態、および、吸引シリンダの内部空間内に１つの室が設けられていること、が示されている図であるＦＩＧ．１およびＦＩＧ．２（第１１頁）
　従って、刊行物１には、
製紙機のマルチシリンダ乾燥機であって（１−４、１−９を参照。）、
乾燥機グループ内でウエブが単一のワイヤに接触して運ばれていくものであり（１−１、１−９を参照。）、
該乾燥機は、乾燥シリンダと、複数の孔を有するマントルおよび内部に負圧がかかる案内シリンダ（吸引シリンダ）と、乾燥すべきウエブを前記乾燥シリンダの外側マントルに押圧して直接接触させるとともに乾燥ワイヤが外側シリンダ面および前記ウエブの間に位置するように前記案内シリンダにわたって該ウエブを運ぶワイヤとからなり、（１−１、１−９を参照。）、
前記案内シリンダの内部空間内に１つの室が設けられ、該室は、実質的に該案内シリンダの全幅にわたっており（１−６、１−７を参照。）、
前記乾燥機グループを前記ウエブが走行しているときに、前記案内シリンダの内部空間を真空にし（１−１を参照。）、
これによってウエブを前記ワイヤに接触させる製紙機のマルチシリンダ乾燥機におけるウエブをワイヤへ接触させる方法の発明（以下、引用発明１Ａという。）、
および、
製紙機のマルチシリンダ乾燥機であって（１−４、１−９を参照。）、
乾燥機グループ内でウエブが単一のワイヤに接触して運ばれていくものであり（１−１、１−９を参照。）、
該乾燥機は、乾燥シリンダと、複数の孔を有するマントルおよび内部に負圧がかかる案内シリンダと、乾燥すべきウエブを乾燥シリンダの外側マントルに押圧して直接接触させるとともに乾燥ワイヤが外側シリンダ面およびウエブの間に位置するように案内シリンダにわたってウエブを運ぶワイヤとからなり（１−１、１−９を参照。）、
主空気流路とそれぞれが該主空気流路から案内シリンダのそれぞれの１つへ通っている分流空気流路と該分流空気流路へ、および／または前記主空気流路へ連結される空気流調節手段とを含み（１−３を参照。）、
案内シリンダ各々の内部空間に、１つの室を設け、該室は、実質的に該案内シリンダの全幅にわたっており（１−７、１−１０を参照。）、
空気流調節手段は、乾燥機グループをウエブが走行しているときに、案内シリンダの内部空間の室内を真空にする（１−１を参照。）装置の発明（以下、引用発明１Ｂという。）、
が記載されていると認められる。
　
２．刊行物２
２−１「抄紙機の乾燥部において、いわゆるシングルワイヤドローと、ウエブ（Ｗ）と乾燥ワイヤ（１２）の互いを支え合う接触を乱す現象・・の発生を防止するための送風ボックス（２０）とを用い、・・ウエブ（Ｗ）の通紙を強めるために・・さらに強められた送風が・・リーダーバンド（Ｒ）の幅（Ｌｎ）の領域（Ａ）にだけあてられる・・方法。」（特許請求の範囲請求項１）
　
３．刊行物３
３−１「第２図に示す如く、孔付きシリンダ１４の殻１８の内部空間は、シリンダ１４のジャーナルピン上のコネクタ３５によって吸引ポンプ４１に接続されている。」（第６頁左下欄７−１０行）
３−２　製紙機のマルチシリンダ乾燥機が示されている図１（第８頁）
３−３　ガイドシリンダをシャフトに回転可能に取りつけ、シャフトに真空供給源を連結し、ガイドシリンダの内部空間内に真空をシャフトを通して発生させているとともに、
乾燥シリンダの隣接するもの同士の間のギャップ内に吹き出し−吸込み併用ボックスを配設し、乾燥ワイヤが走行しないガイドシリンダの上部自由セクタを実質的に覆うとともに、吹き出し−吸込み併用ボックスから空気を吹き出すことにより、ガイドシリンダ上をウエブが走行する前と走行した後とにおいて、ウエブを乾燥ワイヤに付着させていることが示されている図２（第９頁）
　
　
ＩＩＩ．対比判断
１．請求項１に係る発明について
　引用発明１Ａと本願特許請求の範囲請求項１に係る発明（以下、本願発明１という。）とを比較すると、両者は、
抄紙機の多シリンダ乾燥機においてシングルワイヤドローを設けた乾燥機グループ内でウエブを乾燥ワイヤに付着する方法であって、該乾燥機グループは、乾燥シリンダと、多孔マントルおよび真空に曝される内部空間を有するガイドシリンダと、前記ウエブを前記乾燥シリンダの外側シリンダ面に対して押しつけ、乾燥ワイヤが外側シリンダ面および前記ウエブの間に位置するように前記ガイドシリンダにわたって該ウエブを運ぶ乾燥ワイヤからなる抄紙機の多シリンダ乾燥機におけるウエブを乾燥ワイヤに付着する方法において、該方法は、前記ガイドシリンダの内部空間内に１つのサクション領域を設け、該サクション領域は、実質的に該ガイドシリンダの全幅にわたっている工程と、前記乾燥機グループを前記ウエブが走行しているときに、前記ガイドシリンダの内部空間の前記サクション領域を真空にし、これによってウエブを前記乾燥ワイヤに接触させる工程とを含む抄紙機の多シリンダ乾燥機におけるウエブを乾燥ワイヤに付着する方法の発明である点で一致し、
本願発明１では、ガイドシリンダの内部空間のサクション領域内の真空度を前記抄紙機の乾燥機の運転速度などの工程パラメ−夕もしくは運転パラメータの関数として調節するのに対し、引用発明１ではそのような調節をすることについて明記していない点で相違している。
　該相違点について検討する。
　上記１−８の記載に基づいて、例えばウエブ速度Ｃ＝６００ｍ／分＝１０ｍ／秒としその他の条件を同一にした場合の吸引シリンダ３０の周上で必要な負圧を計算すると、
Ｐ２＝９０／１０００×１０×１０／０．５５パスカル＝１６パスカル、従って、吸引シリンダ３０の周上で必要な負圧はＰ１＝５００＋１６パスカル＝５１６パスカルとなる。
　ウエブ速度は所望に応じて適宜調節されるものであるから、、刊行物１にはウエブ速度に応じて吸引シリンダ３０の周上で必要な負圧を調整することが示唆されていると認められる。
　そして、ウエブ速度は、明らかに本願発明における抄紙機の乾燥機の運転速度などの工程パラメ−夕もしくは運転パラメータに該当するから、結局、当業者であれば引用発明１においてガイドシリンダの内部空間のサクション領域内の真空度を抄紙機の乾燥機の運転速度などの工程パラメ−夕もしくは運転パラメータの関数として調節することを着想し本願発明を構成する程度のことは容易になしえたと認められる。
　
２．請求項２に係る発明について
　本願特許請求の範囲請求項２に係る発明（以下、本願発明２という。）は、本願発明１を、真空度を調節してガイドシリンダの少なくとも１つにおいて乾燥機のテール掛けの段階および乾燥機の運転段階について異なる真空度を供給する点でさらに限定するものであるが、テール掛け時に通紙を強めるために送風ボックスの送風を強めることが刊行物２に記載されている（２−１参照）。送風を強めると乾燥シリンダとガイドシリンダの間におけるウエブとワイヤの付着が強まるが、そうするのであれば、同時にガイドシリンダ上でのウエブとワイヤの付着も強めるべきであることは当業者には自明である。してみると、当業者であれば、刊行物２に記載の発明に基づいてテール掛け時にガイドシリンダの真空度を調節し通紙を強めるようにすることは容易に着想しうると認められる。
　よって、本願発明２は、刊行物１および２に記載の発明に基づいて当業者が容易に発明をすることができたと認められる。
　
３．請求項３に係る発明について
　本願特許請求の範囲請求項３に係る発明（以下、本願発明３という。）は、本願発明１を、真空度をウエブが乾燥機を通る速度の関数として調節する点でさらに限定するものであるが、上記１．に記載したとおり刊行物１にはウエブ速度に応じて吸引シリンダ３０の周上で必要な負圧を調整することが示唆されているので、本願発明３は、刊行物１に記載の発明に基づいて当業者が容易に発明をすることができたと認められる。
　
４．請求項４に係る発明について
　本願特許請求の範囲請求項４に係る発明（以下、本願発明４という。）は、本願発明１を、ガイドシリンダをシャフトに回転可能に取りつけ、シャフトに真空供給源を連結し、ガイドシリンダの内部空間内に真空をシャフト内のダクトを通して発生させる点でさらに限定するものであるが、この点は刊行物３に開示されているから（３−１、３−３参照）、本願発明４は、刊行物１および３に記載の発明に基づいて当業者が容易に発明をすることができたと認められる
　
５．請求項５に係る発明について
　本願特許請求の範囲請求項５に係る発明（以下、本願発明５という。）は、本願発明１を、吹き出し−吸込み併用ボックスを乾燥シリンダの隣接するもの同士の間のギャップ内に配設して、乾燥ワイヤが走行しないガイドシリンダの上部自由セクタを実質的に覆う工程と、吹き出し−吸込み併用ボックスからガイドシリンダに対して空気を吹き出すことにより、ガイドシリンダ上をウエブが走行する前と走行する後とにおいて、ウエブを乾燥ワイヤに付着させる点でさらに限定するものであるが、「吹き出し−吸込みボックス」を設けることは慣用されることである（３−３参照）ので、本願発明５は、刊行物１に記載の発明に基づいて当業者が容易に発明をすることができたと認められる
　
６．請求項６に係る発明について
　本願特許請求の範囲請求項６に係る発明（以下、本願発明６という。）は、本願発明１を、乾燥機グループ内のガイドシリンダの内部空間を主流路と連結する工程と、主流路内の吸込みブロワを回転させることによって、主流路を通して、したがって、ガイドシリンダの内部空間を通して空気を引く工程と、吸込みブロワの回転速度を変えてガイドシリンダ内の真空度を調節する点でさらに限定するものであるが、真空度調節において吸込みブロワの回転速度を変えることは慣用されることであるから、本願発明６は、刊行物１に記載の発明に基づいて当業者が容易に発明をすることができたと認められる。
　
７．請求項７に係る発明について
　本願特許請求の範囲請求項７に係る発明（以下、本願発明７という。）は、本願発明１を、乾燥機グループ内のガイドシリンダの内部空間を主流路と連結する工程と、主流路を通して、および、したがって、ガイドシリンダの内部空間を通して空気を引く工程と、主流路を通る全空気流を絞ってガイドシリンダ内の真空度を調節する工程とを含む点でさらに限定するものであるが、流路を絞ることによって真空度を調節することは慣用されることであるから、本願発明７は、刊行物１に記載の発明に基づいて当業者が容易に発明をすることができたと認められる。
　
８．請求項８に係る発明について
　本願特許請求の範囲請求項８に係る発明（以下、本願発明８という。）は、本願発明４を、ガイドシリンダ内の真空度は、ガイドシリンダの内部空間からシャフト内に作られているダクトを通して引き出される空気流を変えることによって調節する点でさらに限定するものであるが、真空度を変えるに際して吸引される空気量を変えることは慣用されることであるから、本願発明８は、刊行物１および３に記載の発明に基づいて当業者が容易に発明をすることができたと認められる。
　
９．請求項９、１０に係る発明について
　本願特許請求の範囲請求項９、１０に係る発明（以下、それぞれ本願発明９、本願発明１０という。）は、本願発明１を、乾燥機グループ内のガイドシリンダの内部空間を主流路へ連結する工程と、主流路を通して、ガイドシリンダの内部空間から空気を引く工程と、主流路へ連結しているブロワを断続してガイドシリンダ内の真空度を調節する工程とを含み、ガイドシリンダ内から引かれる空気の量を減らして、ガイドシリンダ内の真空度を下げるためにブロワを切り、ガイドシリンダ内から引かれる空気の量を増やして、ガイドシリンダ内の真空度を上げるためにブロワを入れる点（本願発明９）および、乾燥機グループ内のガイドシリンダの内部空間を主流路へ連結する工程と、主流路内の吸込みブロワを回転させることによって、主流路を通して、したがって、ガイドシリンダの内部空間を通して空気を引く工程と、ブロワのブレード翼を調節してガイドシリンダ内の真空度を調節する点（本願発明１０）でさらに限定するものであるが、真空度を調節するにあたって請求項９、１０いずれに記載の手段も慣用される手法にすぎないから、本願発明９および本願発明１０は、刊行物１に記載の発明に基づいて当業者が容易に発明をすることができたと認められる。
　
１０．請求項１１に係る発明について
　本願特許請求の範囲請求項１１に係る発明（以下、本願発明１１という。）は、本願発明１を、ガイドシリンダの少なくとも１つに存在する真空度を測定する工程と、ガイドシリンダ内の真空度を該測定された真空度を基にして調節する工程とを含む点でさらに限定するものであるが、負圧が分からなければ負圧を調整することができないので、引用発明１においてもガイドシリンダの真空度を測定しこれを基に真空度を調節していることは明らかである（１−３参照。）。従って、本願発明１１は、刊行物１に記載の発明に基づいて当業者が容易に発明をすることができたと認められる。
　
１１．請求項１２に係る発明について
　本願特許請求の範囲請求項１２に係る発明（以下、本願発明１２という。）は、本願発明１を、ガイドシリンダ内の真空度を所定の値に従って調節する点でさらに限定するものであるが、引用発明１も所定の値にしたがって制御していると認められる（１−７、１−８参照）から、本願発明１２は、刊行物１に記載の発明に基づいて当業者が容易に発明をすることができたと認められる。
　
１２．請求項１３に係る発明について
　本願特許請求の範囲請求項１３に係る発明（以下、本願発明１３という。）は、本願発明１を、ガイドシリンダ内の真空度を乾燥機内で乾燥中の紙の等級に従って調節する点でさらに限定するものである。「紙の等級に従って調節する」の定義が不明であるが、要するに乾燥処理をする紙の種類に応じて真空度を調節するという程度のことであれば、当業者であれば必要に応じて適宜なしうると認められる。
　よって、本願発明１３は、刊行物１に記載の発明に基づいて当業者が容易に発明をすることができたと認められる。
　
１３．請求項１５に係る発明について
　本願特許請求の範囲請求項１５に係る発明（以下、本願発明１５という。）は、本願発明１を、ガイドシリンダ内の真空度を約６００Ｐａから約２０００Ｐａの範囲で抄紙機の運転操作時間中に制御する点でさらに限定するものであるが、引用発明１の真空度も５００〜１０００Ｐａであるから（１−７参照）、本願発明１５は、刊行物１に記載の発明に基づいて当業者が容易に発明をすることができたと認められる。
　
１４．請求項１６に係る発明について
　本願特許請求の範囲請求項１６に係る発明（以下、本願発明１６という。）は、本願発明１を、乾燥機グループが抄紙機の多シリンダ乾燥機内に位置する点でさらに限定するものであるが、この点は慣用されている手段に過ぎないから、本願発明１６は、刊行物１に記載の発明に基づいて当業者が容易に発明をすることができたと認められる。
　
１５．請求項１７に係る発明について
　本願特許請求の範囲請求項１７に係る発明（以下、本願発明１７という。）は、本願発明１を、該方法を抄紙機の多シリンダ乾燥機において実質的に該乾燥機の全長にわたって適用する点でさらに限定するものであるが、この点は設計的事項にすぎないことと認められるから、本願発明１７は、刊行物１に記載の発明に基づいて当業者が容易に発明をすることができたと認められる。
　
１６．請求項２１に係る発明について
　引用発明１Ｂと本願特許請求の範囲請求項２１に係る発明（以下、本願発明２１という。）とを比較すると、両者は、
抄紙機の多シリンダ乾燥機においてシングルワイヤドローを設けた乾燥機グループ内でウエブの乾燥ワイヤへの付着を調節する装置であって、前記乾燥機グループは、加熱乾燥シリンダと、多孔マントルおよび真空に曝される内部空間を有するガイドシリンダと、前記ウエブを前記乾燥シリンダの外側シリンダ面に対して押しつけ、前記乾燥ワイヤが外側シリンダ面および前記ウエブの間に位置するように前記ガイドシリンダにわたって該ウエブを運ぶ乾燥ワイヤとを含む抄紙機の多シリンダ乾燥機におけるウエブの乾燥ワイヤへの付着を調節する装置において、該装置は、主空気流路と、それぞれが前記主空気流路から前記ガイドシリンダのそれぞれの１つへ通っている分流空気流路と、該分流空気流路へ、および／または前記主空気流路へ連結される空気流調節手段とを含み、前記ガイドシリンダの各々の内部空間に、１つのサクション領域を設け、該サクション領域は、実質的に該ガイドシリンダの全幅にわたっている抄紙機の多シリンダ乾燥機におけるウエブの乾燥ワイヤへの付着を調節する装置の発明である点で一致し、
本願発明２１では前記空気流調節手段は、前記乾燥機グループを前記ウエブが走行しているときに、前記ガイドシリンダの内部空間の前記サクション領域内の真空度を前記抄紙機の乾燥機の工程パラメータもしくは運転パラメータの関数として調節するのに対し、引用発明１Ｂではそのような調節をすることについて明記していない点で相違している。
　該相違点について検討する。
　上記１．に記載したとおりの理由によりガイドシリンダの内部空間のサクション領域内の真空度を抄紙機の乾燥機の運転速度などの工程パラメ−夕もしくは運転パラメータの関数として調節することを着想し本願発明を構成する程度のことは容易になしえたと認められる。
　
１７．請求項２２に係る発明について
　本願特許請求の範囲請求項２２に係る発明（以下、本願発明２２という。）は、本願発明２１を、ガイドシリンダはそれぞれ、抄紙機のフレームに固定されガイドシリンダを回転可能に取りつけるシャフトを含み、分流空気流路はそれぞれシャフトの１つへ割り当てられている点でさらに限定するものであるが、この点は刊行物３に開示されているから（３−２、３−３参照）、本願発明２２は、刊行物１および３に記載の発明に基づいて当業者が容易に発明をすることができたと認められる。
　
１８．請求項２３に係る発明について
　本願特許請求の範囲請求項２３に係る発明（以下、本願発明２３という。）は、本願発明２１を、調節手段は、乾燥シリンダの隣接するもの同士の間のギャップ内に配設されて乾燥ワイヤが走行しないガイドシリンダの上部自由セクタを実質的に覆う吹出し−吸込み併用ボックスを含み、吹出し−吸込み併用ボックスは、空気をガイドシリンダに対して吹きつける手段を含む点でさらに限定するものであるが、「吹き出し−吸込みボックス」を設けることは慣用されることである（３−３参照）ので、本願発明２３は、刊行物１に記載の発明に基づいて当業者が容易に発明をすることができたと認められる。　　　　　　　　　　　
　
１９．請求項２４に係る発明について
　本願特許請求の範囲請求項２４に係る発明（以下、本願発明２４という。）は、本願発明２１を、調節手段は主流路内に位置する吸込みブロワを含み、該吸込みブロワの回転速度を変えてガイドシリンダ内の真空度を調節する点でさらに限定するものであるが、真空度調節において吸込みブロワの回転速度を変えることは慣用されることであるから、本願発明２４は、刊行物１に記載の発明に基づいて当業者が容易に発明をすることができたと認められる。
　
２０．請求項２５に係る発明について
　本願特許請求の範囲請求項２５に係る発明（以下、本願発明２５という。）は、本願発明２１を、調節手段は、分流路のそれぞれに配設された調節ダンパを含む点でさらに限定するものであるが、真空度を変えるに際して吸引される空気量を変えることは慣用されることであるから、本願発明２５は、刊行物１に記載の発明に基づいて当業者が容易に発明をすることができたと認められる。
　
２１．請求項２７、２８に係る発明について
請求項９、１０の説明に同し。
　本願特許請求の範囲請求項２７、２８に係る発明（以下、それぞれ本願発明２７、本願発明２８という。）は、本願発明２１を、調節手段は主流路内に位置する吸込みブロワを含み、該吸込みブロワは可調節ブレードを有している点（本願発明２７）、及び、調節手段は主流路内に位置する吸込みブロワを含み、該吸込みブロワの回転速度、および、該吸込みブロワにより引き出される空気量をインバータの操作によって変えてガイドシリンダ内の真空度を調節する点でさらに限定するものであるが、真空度を調節するにあたっていずれの請求項に記載の手段も慣用される手法にすぎないから、本願発明２７および２８は、刊行物１に記載の発明に基づいて当業者が容易に発明をすることができたと認められる。
　
　
ＩＶ．むすび
　従って、本出願の請求項１−１３，１５−１７，２１−２５，２７−２８に係る発明は、その出願前に日本国内において頒布された引用例１ないし３に記載された発明から当業者が容易に発明をすることができたと認められるので、特許法第２９条第２項の規定により特許を受けることができない。
　よって、結論のとおり審決する。